(57)【要約】      （修正有）【課題】組み上げたケースを手で掴んだり輸送時に微振動が加わったりしても、蓋片が不要にひらいてしまわない確実なロック機構を、パーツを増やしたり別部材を付加したりすることなく形成し、かつ組み立ての作業性に優れた箱型包装ケースを提供する。【解決手段】底面板２及び天面板３には、先部の端辺を延出境界としてその先側に差し込み片２１、３１が延出形成され、底面板２又は天面板３と差し込み片の延出境界には、両端から中央側の途中位置までの略Ｌ字状の切り込み２２、３２が形成されると共に、この切り込み２２、３２の切りこみ端を両端として連なる略台形状の折り罫２Ｆ、３Ｆが形成される。さらに、切り込み２２、３２が形成された側の開口における左右の袖フラップ４には、差し込み側の側辺の中央寄りに、差し込み片２１、３１を差し込み側の面板に押し上げて突っ張るための突っ張り部４Ｔが形成される。【選択図】図１
0003165197.tif 000002
【実用新案登録請求の範囲】
【請求項１】
互いに側方連接して箱型の四方側面を構成する背面板（１１）、正面板（１３）及び左右の側板（１２）と、背面板（１１）又は正面板（１３）のいずれかから上方に連なって箱形の天面を構成する天面板（３）と、左右の側板（１２）のそれぞれから各々上方乃至下方に連なって箱形の天面開口乃至底面開口に内設される袖フラップ（４）とから構成される、シート状のケース材を箱型に組み上げてなるものであって、底面板（２）及び天面板（３）には、先部の端辺を延出境界としてその先側に差し込み片（２１／３１）が延出形成され、
底面板（２）又は天面板（３）の少なくともいずれかの、差し込み片（２１／３１）との延出境界には、両端から中央側の途中位置までの略Ｌ字状の切りこみ（２２／３２）が形成されると共に、この切り込み（２２／３２）の中央側の切りこみ端（２Ｅ／３Ｅ）を両端として連なる略台形状の折り罫（２Ｆ／３Ｆ）が形成され、
さらに、前記切り込み（２２／３２）が形成された底面板（２）又は天面板（３）の左右に隣り合う各袖フラップ（４）には、それぞれ、差し込み側の側辺の複数個所に、前記底面板（２）又は天面板（３）の差し込み片（２１／３１）を差し込み側の面板に押し上げて突っ張るための突っ張り部（４Ｔ）が形成されることを特徴とする箱形包装ケース。
【請求項２】
前記差し込み片（２１／３１）には、組み上げた状態で、前記台形状の折り罫（２Ｆ／３Ｆ）の折り曲げによって両側縁（２１Ｅ／３１Ｅ）が湾曲成形され、
左右それぞれの袖フラップ（４）の差し込み側の側辺には、組み上げ閉蓋した状態で前記折り罫（２Ｆ／３Ｆ）の台形状の両傾斜辺部分に重なる凹部（４Ｄ）が、前記突っ張り部（４Ｔ）と隣接して設けられる請求項１記載の箱形包装ケース。
【請求項３】
左右それぞれの袖フラップ（４）の凹部（４Ｄ）は外側部分が傾斜辺からなると共に、当該傾斜辺が、組み上げ閉蓋した状態にて、底面板又は天面板の前記略Ｌ字状の切り込み（２２／３２）の屈曲部と重なる位置に形成される請求項１又は２記載の箱形包装ケース。
【請求項４】
左右それぞれの袖フラップ（４）の凹部（４Ｄ）は外側部分が略垂直に切れ込んでなると共に、当該外側辺が、組み上げ閉蓋した状態にて、底面板又は天面板の前記略Ｌ字状の切り込み（２２／３２）の屈曲部と重なる位置に形成される請求項１又は２記載の箱形包装ケース。
【請求項５】
左右それぞれの袖フラップ（４）は組み上げ閉蓋した状態で開口の中央部にて互いに重なる重なり部（４４）を有してなり、前記中央突っ張り部（４２Ｔ）が、この重なり部（４４）を含む大きさに形成される請求項３記載の箱形包装ケース。
【考案の詳細な説明】
【技術分野】
【０００１】
本考案は、商品を箱状の容器内に収容して包装するための箱形包装ケースに関する。
【背景技術】
【０００２】
扁平な折畳状態から組み立てて商品を包装し、そのまま搬送及び展示される包装用の蓋付き箱として、従来、箱体を形成する側面と、この側面の端部に形成された蓋片と、この蓋片が形成された側面の側方の側面端部に形成されたフラップと、蓋片の先端部には折罫線を介して差込片を有する包装用箱が開示される（例えば、特許文献１参照）。これは一枚のブランクシートから一体的に打ち抜かれた箱体形成片を組み立てたものであり、例えば蓋片の先端部の折罫線の直線部分両端には、折罫線とわずかに離間して折罫線よりも蓋片の基端部寄りに、折罫線と平行な切り込みが各々形成されている。この形態のものであれば、組立状態で、上記切り込みによって上記蓋片から切り離された上記差込片の端縁部は、上記蓋片と差込片との間の上記折罫線の直線部分両端と上記切り込みの端部との段差により、この段差をつなぐ方向に緩やかに上記差込片の両端縁部が折り曲げられ、上記フラップの内側に位置し、上記蓋の確実な保持がなされる、とされる。
【０００３】
上記包装用箱の差込片を側面の内側に入れると、差込片の端縁部は、フラップの裏面に当接し、折罫線から側方に向かって斜めに折罫線側に近づくように折れて、差込片の端縁部が、フラップ、底フラップの裏面に確実に当接する。また、上蓋片の折罫線と、底蓋片の折罫線は側面の内側に隙間無く位置するため、店頭に陳列している間等にもほこりが入る心配が無く、商品を清潔に保つことができるものである。
【先行技術文献】
【特許文献】
【０００４】
【特許文献１】特開２０００−３２６９５５号公報
【考案の概要】
【考案が解決しようとする課題】
【０００５】
しかし上記従来の包装用箱であっても、組み上げた状態で四方側板を対角方向に絞る力が加わったときには、上蓋片の端縁部の係止が外れて差し込み片が抜けてしまうことがあった。このため、組み上げたケースを手で掴んだり輸送時に微振動が加わったりすることで、蓋片が不要にひらいてしまうという問題があった。
【０００６】
なお、この種の包装用箱は組み上げの加工性やコスト性が要求されるため、蓋片のロック用にパーツを増やしたり、別部材のロック機構を付加したりすることなく上記問題を解決し、かつ組み立ての作業性に優れたものとすることが求められている。
【０００７】
そこで本考案では、組み上げたケースを手で掴んだり輸送時に微振動が加わったりしても、蓋片が不要にひらいてしまわない確実なロック機構を、パーツを増やしたり別部材を付加したりすることなく形成し、かつ組み立ての作業性に優れた箱型包装ケースを提供することを課題とする。
【課題を解決するための手段】
【０００８】
本考案は上記課題を解決すべく以下（１）〜（５）の手段を採用している。
【０００９】
（１）本考案の箱形包装ケースは、互いに側方連接して箱型の四方側面を構成する背面板１１、正面板１３及び左右の側板１２と、背面板１１又は正面板１３のいずれかから上方に連なって箱形の天面を構成する天面板３と、左右の側板１２のそれぞれから各々上方乃至下方に連なって箱形の天面開口乃至底面開口に内設される袖フラップ４とから構成される、シート状のケース材を箱型に組み上げてなるものであって、底面板２及び天面板３には、先部の端辺を延出境界としてその先側に差し込み片２１／３１が延出形成され、
底面板２又は天面板３の少なくともいずれかの、差し込み片２１／３１との延出境界には、両端から中央側の途中位置までの略Ｌ字状の切り込み２２／３２が形成されると共に、この切り込み２２／３２の中央側の切り込み端２Ｅ／３Ｅを両端として連なる略台形状の折り罫２Ｆ／３Ｆが形成され、
前記切り込み２２／３２が形成された底面板２又は天面板３の左右に隣り合う各袖フラップ４には、それぞれ、差し込み側の側辺の複数個所に、前記底面板２又は天面板３の差し込み片２１／３１を差し込み側の面板（正面板１３又は背面板１１のいずれか）に押し上げて突っ張るための突っ張り部４Ｔが形成されることを特徴とする。
【００１０】
前記突っ張り部４Ｔは、組み上げた状態において、底面板２又は天面板３の前記折り罫２２／３２の台形状の中央辺部に当接して、差し込み片２１／３１の中央寄りの部分を差し込み側の面板の内側から突っ張ることで、差し込み側の面板（正面板１３又は背面板１１のいずれか）から差し込み片が容易に抜けないようにする。
【００１１】
（２）上記箱形包装ケースにおいて、左右それぞれの袖フラップ４の差し込み側の側辺には、前記折り罫２Ｆ／３Ｆの略台形状の両傾斜辺ｔに沿う凹部４Ｄが前記突っ張り部４Ｔと異なる位置に設けられ、
前記差し込み片２１／３１には、組み上げた状態で、前記台形状の折り罫２Ｆ／３Ｆの両傾斜辺ｔ部分の折り曲げによって差し込み側縁２１Ｅ／３１Ｅが湾曲成形されると共に、その湾曲成形された部分が袖フラップ４の凹部４Ｄの内面に嵌り込んで係止した状態となることが好ましい。
【００１２】
このとき、差し込み片２１／３１の差し込み側縁２１Ｅ／３１Ｅの中央寄り部分である湾曲開始部は、袖フラップ４の凹部４Ｄ内に嵌り込んで袖フラップ４と共に開口を二重に覆設してなると共に、差し込み片２１／３１の湾曲開始部よりもさらに中央寄りの部分にて、袖フラップ４の突っ張り部４Ｔによって差し込み側の面板（正面板１３又は背面板１１のいずれか）側へ突っ張った状態となり、この開口の覆設と突っ張りによって開口が封止された状態となる（図３、図７参照）。
【００１３】
（３）上記いずれかの箱形包装ケースにおいて、左右それぞれの袖フラップ４の凹部４Ｄは台形状であると共に、当該台形状の片側の傾斜辺が、組み上げた状態にて、底面板又は天面板の前記略Ｌ字状の切り込み２２／３２の屈曲部と重なる位置に形成されることが好ましい。
【００１４】
上記構成は後述する実施例１（図１〜図４）の底面開口部の構成に相当する。このようなものであれば組み上げた状態のとき、台形状の凹部４Ｄの比較的長い対角線に沿って差し込み側縁２１Ｅが湾曲し、差し込み片２１全体がゆるやかな湾曲によって箱形の大きな歪みを有さずに閉蓋することができる。また袖フラップ４のうち、台形状の凹部４Ｄの開口中央側の傾斜側辺より先側の部分が突っ張り部４Ｔとなるところ、突っ張り部４Ｔが当該傾斜側辺によって形成されるため、突っ張り部の面積が広く確保され、容易に折れ曲がりにくいものとなっている。閉蓋状態では図３に示すように、延出境界の両端寄りで左右の２カ所を係止し、また中央寄りで左右の２カ所を内側から突っ張ることで、差し込み片を差し込み側の辺上の合計４点（両端２点及び中央寄りの２点）で抑えたロック状態となる。
【００１５】
（４）左右それぞれの袖フラップ４の凹部４Ｄは外側辺が略垂直に切れ込んでなると共に、当該外側辺が、組み上げた状態にて、底面板又は天面板の前記略Ｌ字状の切り込み２２／３２の屈曲部と重なる位置に形成されることが好ましい。
【００１６】
上記構成は後述する実施例２の底面開口部（図７）及び天面開口部（図８）の構成に相当する。このようなものであれば組み上げた状態のとき、凹部４Ｄと差し込み片の切り込みとが略垂直の線上で重なり、袖フラップ４と差し込み片とがより強固に係止するものとなる。
【００１７】
（５）左右それぞれの袖フラップ４は組み上げた状態で開口の中央部にて互いに重なる重なり部４４を有してなり、前記中央突っ張り部４Ｔが、この重なり部４４を含む大きさで形成されることが好ましい。
【００１８】
左右それぞれの袖フラップ４同士が図２，３，５，７，８に斜線で示すような重なり部４４を形成し、この重なり部４４が突っ張り部４Ｔを構成することで、突っ張り部が突っ張り方向へ折れ曲がりにくく、開口部の奥行き方向を直線的に保護することで、開口形状をより確実に保持することができる。特に重なり部４４はフラップ角部が開口側で隅丸形状、底面又は天面の延設側で三角形の隅取り形状をなすことによって、容易に折れ曲がりにくくなる。
【００１９】
なお、上記凹部４Ｄよりも外側に、組み上げた状態にて切り込み３２／２２の水平部に沿う端突出部４Ｓが形成されることが好ましい。端突出部４Ｓは差し込み片３１の両端の、開口中央へ湾曲した差し込み側縁２１Ｅ、３１Ｅを上部から覆い、差し込み側縁２１Ｅ、３１Ｅの切り込み２２，３２と当接して差し込み片２１、３１を両端で係止する役割を果たす。
【考案の効果】
【００２０】
本考案の箱形包装ケースは上記手段を講じており、ループ状部分の離間によって連接アーム４が自動的にループ状の環状口にある一面板を引き上げるため、組み立て作業がより簡易となった。また、ループ状部分や連接アーム４は折り返しと接着のみによって平面的に形成可能であるため、サックマシンでの貼り合わせ加工が可能であるなど、折り畳みの作業性が向上するものとなった。また折り返しのための比較的大きな部品を必要とせず、生産性がよい箱型包装ケースとなった。
【図面の簡単な説明】
【００２１】
【図１】本考案の実施例１の箱形包装ケースの展開図。
【図２】実施例１の箱形包装ケースの組み上げ途中の状態の底部を示す説明図。
【図３】実施例１の箱形包装ケースの組み上げ状態の底部を示す説明図。
【図４】実施例１の箱形包装ケースの開蓋状態の斜視説明図。
【図５】実施例１の箱形包装ケースの閉蓋状態の斜視説明図。
【図６】本考案の実施例２の箱形包装ケースの展開図。
【図７】実施例２の組み上げ状態の底面部を示す説明図。
【図８】実施例２の組み上げ状態の天面部を示す説明図。
【考案を実施するための形態】
【００２２】
以下、本箱形包装ケースの実施形態を、実施例として示す各図と共に説明する。本考案の箱型包装ケースは、それぞれ一つずつの背面板１１、正面板１３、及び左右２つの側面板１２からなる箱筒状の四方面板と、そのいずれかの面板から上方及び下方へ連なる底面板２及び天面板３とを有し、さらに底面板２及び天面板３のそれぞれの両隣りには、隣り合う開口辺の面板から上方又は下方へ延出した袖フラップ４が一対ずつ設けられ、さらに底面板２及び天面板３はその上辺または下辺の延出境界を境として差し込み片２１，３１が延出形成される。製造時には図１或いは図６に示すように、これらの面板が一体的に連接された一枚の樹脂製シートから構成される。この樹脂性シートは各面板間が折り畳まれると共に、側板１２に連なった貼り代片の接着領域１Ａでのみ面接着されて箱形筒状に組み上げられる。この箱形筒状の包装ケースにおいて、図２に示すように両側部の袖フラップ４を略垂直に折って上下の開口を覆い、その後に図３に示すように底面板２、天面板３を略垂直に折り、底面板２又は天面板３の先端に延出した差し込み片２１，３１を正面板１３の内側に差し込んで、組み上げ閉蓋状態として収容物を収容する。
【００２３】
各面板はシート状のものであり、各板面を含む大判の原板を図１に示すように所定形状に切断し、各面板の辺を含む必要な折り辺に折り罫が設けられる。具体的には縦長台形の正面、背面及び両側面を構成する正面板１１、背面板１３、及び左右の側板１２と、正背面板１１又は背面板１３のいずれかから下方に連なって箱形の底面を構成する底面板２と、正背面板１１又は背面板１２とで構成される。また左右の側板１２のそれぞれから各々下方に連なって箱形の底面開口に内設される左右の袖フラップ４と、左右の側板１２のそれぞれから各々上方乃至下方に連なって箱形の天面開口に内設される袖フラップ４とから構成されるシート状のケース材を箱型に組み上げてなるものであって、底面板２及び天面板３には、先部の端辺を延出境界としてその先側に差し込み片２１／３１が延出形成される。
【００２４】
底面板２又は天面板３の少なくともいずれかの延出境界には、両端から中央側の途中位置までの略Ｌ字状の切り込み２２／３２が形成されると共に、この切り込み２２／３２の切り込み端２Ｅ／３Ｅを両端として連なる略台形状の折り罫２Ｆ／３Ｆが形成される。さらに、前記切り込みが形成された側の開口における、左右の袖フラップ４には、それぞれ、差し込み側の側辺の複数個所に、前記（底面板２又は天面板３の）差し込み片２１／３１を差し込み側の面板に押し上げて突っ張るための突っ張り部４Ｔが形成される。
【００２５】
組み上げた状態の左右それぞれの袖フラップ４において、前記突っ張り部４Ｔは、
底面板２又は天面板３の前記切り込み２２／３２の切り込み部に当接して、差し込み片２１／３１の側端寄りの部分を差し込み側の面板の内側から突っ張る側端突っ張り部４１Ｔと、
底面板２又は天面板３の前記折り罫２２／３２の台形状の中央辺部に当接して、差し込み片２１／３１の中央寄りの部分を差し込み側の面板の内側から突っ張る中央突っ張り部４２Ｔとから構成される。
【００２６】
延出境界の両端寄り、中央寄りの個所を、左右の袖フラップでそれぞれ２点ずつ、左右合計４点にて、開口に差し込んだ差し込み片を内側から突っ張ることとなる。
前記差し込み片２１／３１には、組み上げた状態で、前記台形状の折り罫２Ｆ／３Ｆの折り曲げによって差し込み側縁２１Ｅ／３１Ｅが湾曲成形され、
左右それぞれの袖フラップ４の差し込み側の側辺には、前記折り罫２Ｆ／３Ｆの台形状の両傾斜辺に沿う凹部４Ｄが前記突っ張り部４Ｔの少なくともいずれかと隣接して設けられる。
【００２７】
このとき、差し込み側縁２１Ｅ／３１Ｅの中央寄りの湾曲開始部は、凹部４Ｄ内に嵌り込んで袖フラップと共に開口を二重に覆設してなると共に、当該湾曲開始部の左右いずれかにて、突っ張り部４Ｔによって差し込み側の面板を二重に形成して開口を封止した状態となる。
【００２８】
左右それぞれの袖フラップ４の差し込み側の側辺において、前記側端突っ張り部４１Ｔの中央寄り側に、台形状からなる凹部４Ｄが隣接形成されることが好ましい。
【００２９】
左右の底面袖フラップ４２又は左右の袖フラップ４３には、差し込み側の側辺の複数個所に、前記（底面板２又は天面板３の）差し込み片２１／３１を差し込み側に押し上げるための突っ張り部４Ｔが形成される。また左右それぞれの袖フラップ４は組み上げた状態で開口の中央部にて互いに重なる重なり部４４を有してなり、前記中央突っ張り部４２Ｔが、この重なり部４４を含む大きさで形成される。
【実施例１】
【００３０】
実施例１の箱形包装ケースは、互いに側方連接して箱型の四方側面を構成する背面板１１、正面板１３及び左右の側板１２と、背面板１１から上方に連なって箱形の天面を構成する天面板３と、左右の側板１２のそれぞれから各々上方及び下方に連なって箱形の天面開口及び底面開口に内設される４枚の袖フラップ４とから構成される。また底面板２及び天面板３には、先部の端辺を延出境界としてその先側に差し込み片２１／３１が延出形成される。
【００３１】
製造時には図１に示すような貼り合わせ片を正面板１３の側縁に連接したシート状のケース材からなり、反対側の側面板１２にこの貼り合わせ片を貼り合わせて、当該正面板１３と側面板とが側辺同士で連なるようにし、箱形筒体を形成する。
【００３２】
実施例１の箱形包装ケースは、底面板２のみの差し込み片（２１／３１）との延出境界に、両端から中央側の途中位置までの略Ｌ字状の切り込み（２２／３２）が形成されると共に、この切り込み（２２／３２）の中央側の切り込み端（２Ｅ／３Ｅ）を両端として連なる略台形状の折り罫（２Ｆ／３Ｆ）が形成され、
さらに、前記切り込み（２２／３２）が形成された底面板（２）又は天面板（３）の左右に隣り合う各袖フラップ（４）には、それぞれ、差し込み側の側辺の複数個所に、前記底面板（２）又は天面板（３）の差し込み片（２１／３１）を差し込み側の面板に押し上げて突っ張るための突っ張り部（４Ｔ）が形成される。
【００３３】
差し込み片（２１／３１）には、組み上げた状態で、前記台形状の折り罫（２Ｆ／３Ｆ）の折り曲げによって差し込み側縁（２１Ｅ／３１Ｅ）が湾曲成形され、
左右それぞれの袖フラップ（４）の差し込み側の側辺には、組み上げ閉蓋した状態で前記折り罫（２Ｆ／３Ｆ）の台形状の両傾斜辺部分に重なる凹部（４Ｄ）が、前記突っ張り部（４Ｔ）と隣接して設けられる。
【００３４】
実施例１の底部開口において、左右それぞれの袖フラップ（４）の凹部（４Ｄ）は外側部分が傾斜辺からなると共に、当該傾斜辺が、組み上げ閉蓋した状態にて、底面板又は天面板の前記略Ｌ字状の切り込み（２２／３２）の屈曲部と重なる位置に形成される。
【実施例２】
【００３５】
実施例２の箱形包装ケースは、底面板（２）及び天面板（３）のそれぞれの差し込み片（２１／３１）との延出境界に、両端から中央側の途中位置までの略Ｌ字状の切り込み（２２／３２）が形成されると共に、この切り込み（２２／３２）の中央側の切り込み端（２Ｅ／３Ｅ）を両端として連なる略台形状の折り罫（２Ｆ／３Ｆ）が形成され、
さらに、前記切り込み（２２／３２）が形成された底面板（２）又は天面板（３）の左右に隣り合う各袖フラップ（４）には、それぞれ、差し込み側の側辺の複数個所に、前記底面板（２）又は天面板（３）の差し込み片（２１／３１）を差し込み側の面板に押し上げて突っ張るための突っ張り部（４Ｔ）が形成される。
【００３６】
実施例２の底部開口において、左右それぞれの袖フラップ（４）の凹部（４Ｄ）は外側部分及び内側部分が共に略垂直に切れ込んだ略コ字状の形状からなる。そして組み上げ閉蓋した図７の状態にて、左右の各袖フラップ（４）の当該外側辺が、底面板（２）の前記略Ｌ字状の切り込み（２２／３２）の屈曲部と重なる位置に形成され、当該内側辺が、底面板（２）の前記折り罫２Ｆの略台形の左右傾斜辺に沿って重なる位置に形成される。
【００３７】
実施例２の上部開口において、左右それぞれの袖フラップ（４）の凹部（４Ｄ）は外側部分が略垂直に切れ込んでなると共に、内側部分が傾斜辺状に切れ込んでなる。そして左右の各袖フラップ（４）の当該外側辺が、組み上げ閉蓋した状態にて、底面板（２）の前記略Ｌ字状の切り込み（２２／３２）の屈曲部と重なる位置となり、当該内側辺が、底面板（２）の前記折り罫２Ｆの略台形の左右傾斜辺に沿って重なる位置に形成される。
【００３８】
左右それぞれの袖フラップ（４）は組み上げ閉蓋した状態で開口の中央部にて互いに重なる重なり部（４４）を有してなり、前記中央突っ張り部（４２Ｔ）が、この重なり部（４４）を含む大きさに形成される。
【００３９】
（折畳み状態）
折畳み状態では、正面板１０のいずれかのループ接続辺が折り曲げられることで、ループ状に構成された４面板のうち、正面板１０に連なる正面側の２面板と、背面板６に連なる背面側の２面板とが重なる。実施例では正面板１０下辺が谷折りで折り曲げられ、底面板３が正面板１０と折り重ねられると共に、背面板６上部の捨折り辺５６Ｆが山折りで折り曲げられ、天面板２の裏面が背面板６の裏面と折り重ねられる。このとき、捨折り辺５６Ｆは、箱状態における折り辺よりも背面板６の下方にずれた位置となっており、箱状態においてはこれよりも上方で折り曲げられることで、背面板６を大きく確保することができる。この捨折り辺５６Ｆは、原板状のものからループ状を構成するための接着用の折り曲げ辺であると共に、捨て折り辺と箱状態の折り辺との間に形成された捨て折り部分が、背面板６から斜めに折れ曲がって形成されることで、剛性の強い箱状態を形成することができる。
【００４０】
（組み上げ）
本考案の箱型包装ケースは、前記折畳み状態から、面板同士の各連接辺を折り返すことで箱状態に組み上げられる。組み上げ状態において差し込み片２１，３１の両端部の差し込み側縁２１Ｅ，３１Ｅが開口内側へ湾曲して形成され、袖フラップ４の凹部４Ｄ内に斜めに嵌り込むと共に、差し込み側縁２１Ｅ，３１Ｅの端先が、側辺の基端部に形成された端突出部４Ｓの下部に入り込んで係止される。このとき開口の幅方向中央部では、差し込み片の内側から近接する袖フラップ４の突っ張り部４Ｔが開口の上下方向に形成され、差し込み片２１，３１ないし正面板１３の幅方向中央部が開口の内側へよれたり凹んだりするのを防ぐものとなっている。また特に実施例では左右の袖フラップ４の突っ張り部４Ｔの領域内には、互いに重なりあった重なり部４４が形成され、開口の中央部上下方向の突っ張り機能をより強固なものとしている。一方、袖フラップ４の差し込み片２１，３１と反対側のコーナー部には略三角形に角を取ったフ端４Ｅが形成され、応力集中によってコーナー部が不用意に折れ曲がったり破損したりするのを防止している。
【００４１】
その他本後半は上述した実施例に限定されるものではなく、本考案の趣旨を逸脱しない範囲で適宜形状の変更、実施例間での構成の組み換え、一部構成の抽出或いは省略、一部構成の別体化といった適宜変更が可能である。例えば凹部４Ｄの大きさ、形状の変更、底部又は天面部の差し込み片の差し込み構造の変更または切り込み形状の変更、或いは重なり部４４の重なり形状の変更は適宜行われ、また閉蓋状態における各種当接面同士の部分接着または仮接着を行うことも可能である。
【符号の説明】
【００４２】
１１  背面板
１３  正面板
１２  側板
３  天面板
４  袖フラップ
２１，３１  差し込み片
２２，３２  切り込み
２Ｅ，３Ｅ  切り込み端
２Ｆ，３Ｆ  折り罫
４Ｔ  突っ張り部
２１Ｅ，３１Ｅ  差し込み側縁
４Ｄ  凹部
４４  重なり部
【図１】
0003165197.tif 000003
【図２】
0003165197.tif 000004
【図３】
0003165197.tif 000005
【図４】
0003165197.tif 000006
【図５】
0003165197.tif 000007
【図６】
0003165197.tif 000008
【図７】
0003165197.tif 000009
【図８】
0003165197.tif 000010